(57)【要約】【課題】  移動端末の送信出力を好適に調整することができる基地局装置、及び移動端末の送信出力調整方法を提供する。【解決手段】  本発明の基地局装置１０は、ＭＳ２０から送信されるレンジング要求メッセージの受信に応じて、ＭＳ２０の送信出力を調整させるための制御命令をＭＳ２０に送信することで、ＭＳ２０の送信出力を調整するものであり、受信したレンジング要求メッセージに基づいて受信信号レベル値を検出する検出部１４ａと、検出部１４ａによって検出した受信信号レベル値と前記受信信号レベル値の制御目標値とに基づいてＭＳ２０の送信出力を調整させるための制御命令を生成する制御命令生成部１４ｂと、前記制御目標値を調整するための制御目標値調整部１４ｃとを備えている。【選択図】      図２
2009071585.tif 000002
【特許請求の範囲】
【請求項１】
移動端末から送信されるレンジング要求の受信に応じて、前記移動端末の送信出力を調整させるための制御命令を前記移動端末に送信することで、前記移動端末の送信出力を調整する基地局装置であって、
受信したレンジング要求に基づいて受信信号レベル値を検出する検出部と、
前記検出部によって検出した受信信号レベル値と前記受信信号レベル値の制御目標値とに基づいて、前記移動端末の送信出力を調整させるための制御命令を生成する制御命令生成部と、
前記制御命令を介して移動端末の送信出力を調整するために前記制御目標値を調整する制御目標値調整部と、
を備えていることを特徴とする基地局装置。
【請求項２】
前記制御目標値調整部は、前記移動端末の状態又は前記移動端末との間の通信状態に基づいて、前記制御目標値を調整するよう構成されている請求項１に記載の基地局装置。
【請求項３】
前記制御目標値調整部は、前記レンジング要求が初期レンジングのための第一のレンジング要求である場合に、第一の制御目標値に調整するとともに、初期レンジング以外の他のレンジングのための第二のレンジング要求である場合に、第二の制御目標値に調整するものであり、さらに、前記制御目標値調整部は、前記第一の制御目標値を前記第二の制御目標値よりも小さい値に調整する請求項１又は２に記載の基地局装置。
【請求項４】
前記制御目標値調整部は、前記移動端末の変調方式に応じて、前記制御目標値を調整する請求項１〜３のいずれか一項に記載の基地局装置。
【請求項５】
前記受信信号の瞬時レベル変動値の推定値を求める瞬時レベル変動値推定部をさらに備え、
前記制御目標値調整部は、前記瞬時レベル変動値推定部が求める前記推定値に応じて、前記制御目標値を調整する請求項１〜４のいずれか一項に記載の基地局装置。
【請求項６】
前記瞬時レベル変動値推定部は、前記移動端末から送信される送信信号に含まれるパイロット信号の受信強度、又は、前記パイロット信号のＣＮ比の少なくともいずれか一方に基づいて前記推定値を求める請求項５に記載の基地局装置。
【請求項７】
レンジング要求の送信に応じて基地局装置から送信される、送信出力を調整するための制御命令を受信することで行われる移動端末の送信出力調整方法であって、
前記基地局装置が、前記移動端末から送信されるレンジング要求に基づいて受信信号レベル値を検出する検出ステップと、
前記受信信号レベル値の制御目標値を調整する制御目標値調整ステップと、
前記検出部によって検出した受信信号レベル値と前記制御目標値とに基づいて、前記移動端末の送信出力を調整させるための制御命令を生成する制御命令生成ステップと、
を備えていることを特徴とする移動端末の送信出力調整方法。
【発明の詳細な説明】
【技術分野】
【０００１】
本発明は、広帯域移動無線通信システムなどに用いられる無線通信システム用の基地局装置、及び移動端末の送信出力調整方法に関するものである。
【背景技術】
【０００２】
近年、広範囲なエリアを無線でカバーして高速ブロードバンドサービスを提供することができる通信システムとして、例えば、ＩＥＥＥ８０２．１６に規定されるいわゆる「ＷｉＭＡＸ」と呼ばれる広帯域移動無線通信システム（Ｂｒｏａｄｂａｎｄ  Ｗｉｒｅｌｅｓｓ  Ａｃｃｅｓｓ  Ｓｙｓｔｅｍ、以下、ＢＷＡシステムともいう）が、注目されている。
上記ＢＷＡシステムは、基地局装置と、この基地局装置との間で無線通信を確立する移動端末とを有しており、前記基地局装置は、前記移動端末に対して、広帯域の無線通信サービスを提供する。
上記ＢＷＡシステムでは、基地局装置と、移動端末との間で通信品質を確保するために、レンジングが行われる。レンジングとは、移動端末の信号送信条件を調整し、基地局装置が受信する移動端末からの受信信号より検出される信号レベル、信号タイミング等を所定の適正な値に調整する処理であり、基地局装置と移動端末との間で、レンジング要求メッセージ、及びレンジング応答メッセージの送受信を繰り返すことで行われる（例えば、非特許文献１参照）。
【０００３】
【非特許文献１】服部武、藤岡雅宣、“改訂版ワイヤレス・ブロードバンド教科書  高速ＩＰワイヤレス編”、初版、株式会社インプレスＲ＆Ｄ、２００６年６月２１日、ｐ．１７７−１８１
【発明の開示】
【発明が解決しようとする課題】
【０００４】
上記レンジングにおいて、基地局が受信する移動端末からの信号の受信信号レベルの調整については、移動端末の送信出力を調整させるための制御命令が格納されたレンジング応答メッセージを、基地局装置が移動端末に向けて送信することで行われる。制御命令を受けた移動端末は、当該制御命令に従って、送信出力を調整し基地局装置に向けて信号を送信する。基地局装置は、調整後の送信出力による信号を受信したときの受信信号レベル値を検知し、この受信信号レベル値が、所定の制御目標値により定められる数値範囲内であると、前記制御命令の送信を停止し、調整を終了する。
【０００５】
上記のように移動端末の送信出力を調整するための基準となる、受信信号レベル値の制御目標値は、移動端末に適用されている複数種類の変調方式を考慮するとともに、フェージング等のマージンを考慮することによって、全ての状態をカバーするために比較的高めの値に設定されていた。
他方、変調方式の種類や基地局装置の設置環境等によっては、より低い受信信号レベル値を確保すれば十分に通信品質が確保できる場合があり、基地局装置が必要以上に移動端末の送信出力を要求してしまう場合があった。このように、必要以上の送信出力を移動端末に要求すると、当該移動端末が無駄に電力消費したり、比較的高い送信出力を移動端末に対して要求するので、通信の確立が可能なエリアを狭めるという問題を招くおそれがあった。
【０００６】
本発明はこのような事情に鑑みてなされたものであり、移動端末の送信出力を好適に調整することができる基地局装置、及び移動端末の送信出力調整方法を提供することを目的とする。
【課題を解決するための手段】
【０００７】
上記目的を達成するための本発明は、移動端末から送信されるレンジング要求の受信に応じて、前記移動端末の送信出力を調整させるための制御命令を前記移動端末に送信することで、前記移動端末の送信出力を調整する基地局装置であって、受信したレンジング要求に基づいて受信信号レベル値を検出する検出部と、前記検出部によって検出した受信信号レベル値と前記受信信号レベル値の制御目標値とに基づいて、前記移動端末の送信出力を調整させるための制御命令を生成する制御命令生成部と、前記制御命令を介して移動端末の送信出力を調整するために前記制御目標値を調整する制御目標値調整部と、を備えていることを特徴としている。
【０００８】
上記のように構成された基地局装置によれば、制御目標値調整部によって、受信信号レベル値の制御目標値を調整することで、この制御目標値を基にして生成される制御命令を介して、移動端末の送信出力の調整を行うことができる。従って、基地局装置は、移動端末の送信出力を状況に応じて調整することができる。
さらに、前記制御目標値調整部は、前記移動端末の状態又は前記移動端末との間の通信状態に基づいて、前記制御目標値を調整するよう構成されていてもよく、この場合、移動端末の状態等に応じた制御命令を移動端末に送信することができ、移動端末の送信出力をその状況に応じて好適に調整することができる。
【０００９】
また、前記制御目標値調整部は、前記レンジング要求が初期レンジングのための第一のレンジング要求である場合に、第一の制御目標値に調整するとともに、初期レンジング以外の他のレンジングのための第二のレンジング要求である場合に、第二の制御目標値に調整するものであり、さらに、前記制御目標値調整部は、前記第一の制御目標値を前記第二の制御目標値よりも小さい値に調整するものであってもよく、この場合、初期レンジングにおいては、その他のレンジングのときと比較して、目標とする受信信号レベル値を低くすることができ、移動端末に要求する送信出力も比較的低い値に設定されるので、移動端末の電力消費を抑えることができるとともに、より速やかに送信出力の調整を完了させることができる。
【００１０】
また、前記制御目標値調整部は、前記移動端末の変調方式に応じて、前記制御目標値を調整するものであってもよく、この場合、移動端末の送信出力を、変調方式に応じて適した値に設定することができる。
【００１１】
また、上記基地局装置において、前記受信信号の瞬時レベル変動値の推定値を求める瞬時レベル変動値推定部をさらに備え、前記制御目標値調整部が、前記瞬時レベル変動値推定部が求める前記推定値に応じて、前記制御目標値を調整するものであってもよく、この場合、移動端末の送信出力を、瞬時変動レベル変動値の推定値に応じて適した値に設定することができる。
さらにこの場合、前記瞬時レベル変動値推定部は、前記移動端末から送信される送信信号に含まれるパイロット信号の受信強度、又は、前記パイロット信号のＣＮ比の少なくともいずれか一方に基づいて前記推定値を求めるものであってもよい。
【００１２】
また、本発明は、レンジング要求の送信に応じて基地局装置から送信される、送信出力を調整するための制御命令を受信することで行われる移動端末の送信出力調整方法であって、前記基地局装置が、前記移動端末から送信されるレンジング要求に基づいて受信信号レベル値を検出する検出ステップと、前記受信信号レベル値の制御目標値を調整する制御目標値調整ステップと、前記検出部によって検出した受信信号レベル値と前記制御目標値とに基づいて、前記移動端末の送信出力を調整させるための制御命令を生成する制御命令生成ステップと、を備えていることを特徴としている。
【００１３】
上記のように構成された移動端末の送信出力調整方法によれば、制御目標値調整ステップによって、受信信号レベル値の制御目標値を調整することができるので、移動端末の送信出力の調整を行うことができる。従って、制御目標値調整ステップにおいて、移動端末の状態又は移動端末との間の通信状態に基づいて、制御目標値を調整するよう構成すれば、移動端末の状態等に応じた制御命令を当該移動端末に送信することができ、移動端末の送信出力をその状況に応じて好適に調整することができる。
【発明の効果】
【００１４】
以上のように、本発明の基地局装置、及び移動端末の送信出力調整方法によれば、受信信号レベル値の制御目標値を調整することで、移動端末の送信出力を好適に調整することができる。
【発明を実施するための最良の形態】
【００１５】
〔通信システムの全体構成〕
次に、本発明の好ましい実施形態について添付図面を参照しながら説明する。図１は、広帯域移動無線通信システム（ＢＷＡシステム）の全体構成を示す図である。このＢＷＡシステムは、例えば、広帯域無線通信を実現するために直交周波数分割多元接続（ＯＦＤＭＡ）方式をサポートするＩＥＥＥ８０２．１６に規定される通信システムが採用されており、多数の基地局１０（以下、ＢＳ１０ともいう）と、移動が可能な移動端末２０（以下、ＭＳ２０ともいう）とを有して構成される。
ＢＳ１０は、その周囲にＭＳ２０との間で無線通信可能な範囲であるセルＳを設定しており、このセルＳ内に位置するＭＳ２０に対して、無線通信による高速のブロードバンドサービスを提供する。また、セルＳは、隣接するセルＳと互いに重なり合うように設定されており、これら多数のセルＳによって、本ＢＷＡシステムのサービスエリア全体が構成されている。
通信が確立されているＢＳ１０とＭＳ２０との間では、所定の通信フレームに情報を載せることで、当該情報の送受信が可能であり、ＭＳ２０は、この情報の送受信によって、外部のネットワークへのエントリーが可能となる。
【００１６】
〔基地局の構成〕
図２は、ＢＳ１０、及びＭＳ２０の構成を示したブロック図である。ＢＳ１０は、ＭＳ２０との間で無線通信を行うための信号を送受信するアンテナ１１と、送信信号の変換処理等を行う送信部１２と、受信信号の変換処理等を行うための受信部１３と、これら送受信部１２，１３の制御を行うとともに送受信信号の各種処理を行う制御部１４と、送受信部１２，１３と制御部１４との間に介在して送受信信号を伝達するインターフェース部１５と、上位ネットワークと接続するための通信部１６と、を有している。
受信部１３は、アンテナ１１に接続されたバンドパスフィルタ１３ａを有しており、さらにこのバンドパスフィルタ１３ａからインターフェース部１５に向かって順に接続された、アンプ１３ｂと、アッテネータ１３ｃと、直交復調器１３ｄと、Ａ／Ｄ変換器１３ｅと、を有している。この受信部１３及び送信部１２は、アンテナ１１から送受信される信号波の増幅、変復調、及びＡ／Ｄ，Ｄ／Ａ変換等を行う。
【００１７】
インターフェース部１５は、ＩＥＥＥ８０２．１６の規格に準拠したインターフェースであり、送受信部１２，１３と、制御部１４との間での信号の授受を仲介する。通信部１６は、イーサネット（登録商標）等の規格に準拠した通信インターフェースであり、制御部１４と外部の上位ネットワークとの間の情報の授受を仲介する。
制御部１４は、ＣＰＵ、メモリ（ＲＡＭ）及び記憶装置（ハードディスクやＲＯＭ）等を有するマイコンにより構成されており、ＢＳ１０がＭＳ２０との間で通信を確立するために必要な処理を行ったり、ＭＳ２０からの受信信号の通信フレームに含まれる受信情報を取り出して上位ネットワークに送信したり、上位ネットワークからＭＳ２０に送信される情報を通信フレームに載せる処理等を行う。
また、この制御部１４は、ＭＳ２０からのレンジング要求メッセージに応じて、レンジング応答メッセージを生成、送信する等といった、ＢＳ１０がＭＳ２０からの受信信号を受信する際に行われる、後述するレンジングを実行するための機能を有している。さらに、制御部１４は、前記レンジングの際に行われる、ＭＳ２０の送信出力調整のための機能部である、検出部１４ａ、制御命令生成部１４ｂ、制御目標値調整部１４ｃ、及び、瞬時レベル変動値推定部１４ｄを有している。これらについては、後に詳述する。
【００１８】
〔移動端末の構成〕
上記ＢＳ１０と無線通信を行うＭＳ２０は、ＢＳ１０との間で信号を送受信するためのアンテナ２１と、このアンテナ２１が接続された通信部２２と、ＭＳ２０の機能を包括的に制御するための制御部２３と、ＢＳ１０とＭＳ２０との間で授受される情報の入出力を行うための入出力部２４，２５とを有している。
制御部２３は、ＣＰＵ、メモリ（ＲＡＭ）及び記憶装置（ハードディスクやＲＯＭ）等を有するマイコンにより構成されており、通信部２２を制御することでＢＳ１０との無線通信を確立する処理を行ったり、この通信部２２により受信される受信信号の通信フレームから情報を取り出し出力部２５に出力したり、入力部２４に入力される情報を通信フレームに乗せることで送信可能にしたりといった処理を行う。
【００１９】
また、制御部２３は、レンジングを行うことを決定し、ＢＳ１０に対してレンジングを要求するレンジング要求メッセージ（レンジング要求）を生成し送信する機能を有している。ここで、レンジングとは、ＭＳ２０の信号出力、信号タイミング等を調整し、ＢＳ１０が受信するＭＳ２０からの受信信号より検出される受信信号レベル値や、信号タイミング値等を所定の適正な値に調整する処理であり、ＭＳ２０は、このレンジング要求メッセージをＢＳ１０に向けて送信することで、自身の送信出力の調整を開始することができる。
また、制御部２３は、このレンジング要求メッセージに応じてＢＳ１０から送信されるレンジング応答メッセージを受信し、これに格納される後述する調整パラメータの制御命令に基づいて、ＭＳ２０の送信出力を調整する機能も有している。
ＭＳ２０は、その主電源をオン状態とすることで、ＢＳ１０からの送信信号をスキャンし、その送信信号を捕捉すると、ＢＳ１０との間で通信を確立する。そしてＭＳ２０は、ＢＳ１０から無線通信によるサービスを受けることで、外部のネットワークにエントリーが可能となり、外部との情報の授受が可能となるように構成されている。
【００２０】
〔レンジング、及び、移動端末の送信出力調整について〕
上記ＢＷＡシステムでは、ＢＳ１０と、ＭＳ２０との間で通信品質を確保するために、レンジングが行われる。レンジングとは、上述したように、ＭＳ２０の信号送信条件を調整し、ＢＳ１０が受信するＭＳ２０からの受信信号より検出される受信信号レベル値、信号タイミング等を所定の適正な値に調整する処理であり、このレンジングを行う過程において、ＭＳ２０の送信出力調整が行われる。
レンジングは、後述するように、ＭＳ２０とＢＳ１０との間で、ＭＳ２０が生成し送信するレンジング要求メッセージ、及びＢＳ１０が生成し送信するレンジング応答メッセージの送受信を互いに繰り返すことで行われる。
ＢＳ１０の制御部１４は、ＭＳ２０からのレンジング要求メッセージに応じて、ＭＳ２０の各種送信条件を調整するための調整パラメータが含まれているレンジング応答メッセージを生成し、送信する。この調整パラメータには、ＭＳ２０の送信出力を調整させるための制御命令の他、信号タイミングや、周波数を同期させるための情報が格納されている。
ＭＳ２０は、調整パラメータを含んだレンジング応答メッセージを受信すると、この調整パラメータに格納された情報に基づいて、送信出力の調整や、タイミングの調整を行う。
【００２１】
また、レンジングには、ＭＳ２０がネットワークにエントリーする際に行われるイニシャル・レンジングの他、継続して通信の確立が行われているＭＳ２０との間で定期的に行われる定期的レンジング、サービングＢＳからターゲットＢＳへサービスを継続して引き継ぐ処理であるハンドオーバ処理のときに行われるハンドオーバ・レンジングが規定されている。
【００２２】
イニシャル・レンジングは、上記のようにネットワーク・エントリー時に行われるレンジングであり、ネットワーク・エントリー時において、ＭＳ２０が最寄りのＢＳをスキャンすることによってＢＳ１０からの送信信号を捕捉した後に行われる。ＭＳ２０は、この送信信号に含まれる、レンジングに関する情報を含んだＵＬ＿ＭＡＰメッセージ等の情報に基づいて、レンジング要求メッセージを生成する。このレンジング要求メッセージがＭＳ２０からＢＳ１０に送信されることで、イニシャル・レンジングが開始される。
【００２３】
また、定期的レンジングもイニシャル・レンジングと同様に、ＭＳ２０が、ＵＬ＿ＭＡＰメッセージ等の情報から、レンジングを行う間隔を取得し、レンジング要求メッセージを生成送信することで、レンジングが開始される。
ハンドオーバ・レンジングは、ハンドオーバ処理時に行われるレンジングであり、ＭＳ２０との間で通信を確立していたＢＳ１０（サービングＢＳ）から隣接するＢＳ１０（ターゲットＢＳ）へ、ＭＳ２０へ提供しているサービスを引き継ぐ際に、ＭＳ２０とターゲットＢＳとの間で行われる。このハンドオーバ時のレンジングにおいても、ＭＳ２０は、ターゲットＢＳに対してレンジング要求メッセージを送信する。これによってレンジングが開始される。
【００２４】
以上のように、いずれのレンジングの場合においても、ＭＳ２０からレンジング要求メッセージが送信されることでレンジングが開始される。また、ＭＳ２０の送信出力調整は、上記いずれのレンジングの場合においても行われる。
なお、ＭＳ２０は、いずれのレンジングの場合にも、ＢＳ１０からブロードキャストで送信されるＵＬ＿ＭＡＰメッセージ等に含まれる情報に基づいて、レンジング要求メッセージを生成する。このＵＬ＿ＭＡＰメッセージに含まれる情報に基づいて生成されたレンジング要求メッセージは、上記各レンジングの内、どのレンジングのために生成されたものであるかを識別するための情報を含んでいる。
【００２５】
〔制御部の有する機能部について〕
本実施形態のＢＷＡシステムのＢＳ１０の制御部１４は、上述したように、レンジングにおいてＭＳ２０の送信出力調整を行うための機能部である、検出部１４ａ、制御命令生成部１４ｂ、制御目標値調整部１４ｃ、及び、瞬時レベル変動値推定部１４ｄを有している。
検出部１４ａは、ＢＳ１０が受信した受信信号としてのレンジング要求メッセージに基づいて受信信号レベル値Ｐを検出する。なお、検出部１４ａは、Ａ／Ｄ変換器１３ｅの入力端のレベルで、受信信号レベル値Ｐを検出する。
【００２６】
制御目標値調整部１４ｃは、上記検出部１４ａによって検出された受信信号レベル値Ｐの設定目標となる制御目標値Ｐｓを調整する機能を有している。
ここで、制御目標値Ｐｓについて説明する。この制御目標値Ｐｓは、上述のように、Ａ／Ｄ変換器１３ｅの入力端のレベルで検出される受信信号レベル値Ｐの設定目標であり、下記式（１）に示すように、ＭＳ２０との通信を確立するのに最低限必要とする目標値Ｐｍに、検出される受信信号レベル値に生じる瞬時レベル変動を許容するためのマージン値Ｍを加えることで求められる。
Ｐｓ  ＝  Ｐｍ  ＋  Ｍ      ・・・（１）
【００２７】
例えば、本実施形態の受信部１３においては、ＭＳ２０の変調方式がＱＰＳＫ１／２のとき、マージン値Ｍが０の場合、アンテナ１１の入力端レベルでの目標値は、必要ＣＮ比と装置雑音を考慮すれば−９３ｄＢｍ、Ａ／Ｄ変換器１３ｅの入力端レベルでの目標値Ｐｍは、、Ａ／Ｄ変換器１３ｅのダイナミックレンジより、２０ｄＢｍＶとなる。そして、これに上記マージン値Ｍを加えた値が制御目標値Ｐｓ（例えば、マージン値Ｍが１０ｄＢｍＶの場合、制御目標値Ｐｓは３０ｄＢｍＶ）となる。
なお、上記のＡ／Ｄ変換器１３ｅの入力端における受信信号レベル値のレンジ調整は、制御目標値調整部１４ｃが、上記アンテナ１１の入力端レベルでの目標値、及びＡ／Ｄ変換器１３ｅのダイナミックレンジ等を考慮し、アッテネータ１３ｃを調整設定することで行われる。
上記のように定められる制御目標値Ｐｓは、レンジングにおけるＭＳ２０の送信出力調整において、レンジング要求メッセージを受信したときに、その調整を完了するか否かの数値範囲の下限値に設定され、送信出力調整における基準となる。
【００２８】
また、制御目標値調整部１４ｃは、ＭＳ２０からのレンジング要求メッセージが、イニシャル・レンジングであるか、それ以外（定期的レンジング、もしくはハンドオーバ・レンジング）のレンジング要求メッセージであるかの判断を行い、この判断に応じて、制御目標値Ｐｓをそれぞれ異なる値に調整する機能を有している。また、さらに、制御目標値調整部１４ｃは、ＭＳ２０の変調方式に応じて、制御目標値Ｐｓを調整する機能も有している。
【００２９】
制御命令生成部１４ｂは、検出部１４ａによって検出された受信信号レベル値Ｐと、制御目標値調整部１４ｃによって調整された制御目標値Ｐｓとに基づいて、ＭＳ２０の送信出力を調整するための制御命令を生成する。
より具体的には、制御命令生成部１４ｂは、受信信号レベル値Ｐと、制御目標値Ｐｓとの差を求め、受信信号レベル値Ｐが制御目標値Ｐｓよりも少ない場合には、所定のステップ値をもってＭＳ２０の送信出力を上げる旨の制御命令を生成する。一方、受信信号レベル値Ｐが制御目標値Ｐｓ（もしくは制御目標値Ｐｓに所定の閾値を加えた値）よりも多い場合には、前記所定のステップ値をもってＭＳ２０の送信出力を下げる旨の制御命令を生成する。
【００３０】
制御部１４は、上述のように、上記の制御命令を調整パラメータに格納し、さらにこの調整パラメータをレンジング応答メッセージに格納してＭＳ２０に送信する。また、制御部１４は、調整パラメータとともに、レンジングを継続するか否かをＭＳ２０に伝えるための情報としての「ｓｔａｔｕｓ」をレンジング応答メッセージに格納する。レンジング応答部１６ｆは、この「ｓｔａｔｕｓ」に、「ｓｕｃｃｅｓｓ」を格納することで、ＭＳ２０にレンジングが完了したことを認識させることができる。一方、「ｃｏｎｔｉｎｕｅ」を格納することで、レンジングを継続することを認識させることができる。
【００３１】
瞬時レベル変動値推定部１４ｄは、ＢＳ１０とＭＳ２０とが通信を確立している間に、ＭＳ２０から送信される上りの通信フレームに格納されているパイロット信号の受信強度、及びＣＮ比を所定の時間内で観測し、その受信強度及びＣＮ比に基づいて瞬時レベル変動値の推定値Ｒを求める機能を有している。
より具体的に説明すると、例えばパイロット信号の受信強度のみに着目すると、前記パイロット信号のＭＳ２０から送信される際の送信強度は、既知の値で一定に送信されているので、ＢＳ１０側の受信強度を観測し、図３に示すように、所定時間内における平均レベル値Ｋ１と、この平均レベル値Ｋ１より大きく低下する最低値Ｋ２とを検出し、これらの変位ΔＫを求めることで、この変位ΔＫを瞬時レベル変動値の推定値とすることができる。また、パイロット信号のＣＮ比についても、上記受信強度の場合と同様に、瞬時レベル変動値の推定値を求めることができる。
本実施形態では、瞬時レベル変動値推定部１４ｄは、パイロット信号の受信強度及びＣＮ比に基づいて瞬時レベル変動値の推定値Ｒを求めるように構成されている。
なお、ここでは、前記パイロット信号を時間軸で観測したが、周波数軸で観測することもでき、この場合も同様にして、瞬時レベル変動値の推定値を求めることができる。
【００３２】
〔移動端末の送信出力調整の手順〕
次に、上記構成のＢＷＡシステムによるＭＳ２０の送信出力の調整の手順について説明する。図４は、ＭＳ２０の送信出力調整が行われるレンジングの概略を示した図である。なお、図４では、ＭＳ２０がレンジングを行うことを決定し、レンジング要求メッセージを生成して送信する段階以降について示している。図において、レンジングを行うことを決定したＭＳ２０は、レンジング要求メッセージ（ＲＮＧ＿ＲＥＱ）をＢＳ１０に送信する（ステップＳ１）。
レンジング要求メッセージを受信したＢＳ１０は、レンジング要求メッセージに基づいて検出される受信信号レベル値Ｐ、信号タイミング値、及び周波数値等を検出し（ステップＳ２）、これらに基づいて生成された調整パラメータ、及び「ｃｏｎｔｉｎｕｅ」とした「ｓｔａｔｕｓ」をレンジング応答メッセージ（ＲＮＧ＿ＲＳＰ）に格納してＭＳ２０に送信する（ステップＳ３）。
レンジング応答メッセージを受信したＭＳ２０は、調整パラメータに基づいて自身の信号送信条件を調整し（ステップＳ４）、再度レンジング要求メッセージを送信する（ステップＳ５）。
上記各ステップを繰り返し行い、ＢＳ１０において、受信信号レベル値Ｐ、信号タイミング値、及び周波数値が、適正に調整され、レンジングが完了したと判断した場合には、「ｓｔａｔｕｓ」に「ｓｕｃｓｅｓｓ」を格納してレンジング応答メッセージを送信する（ステップＳ６）。「ｓｕｃｓｅｓｓ」が格納されたレンジング応答メッセージを受信したＭＳ２０は、レンジング要求メッセージの送信を停止し（ステップＳ７）、レンジングを完了する。
【００３３】
次に、上記レンジングの手順の内、ＭＳ２０の送信出力の調整の手順についてより詳細に説明する。図５は、図４にて示したレンジングの内、ＭＳ２０の送信出力調整の、より具体的な処理手順を示したフローチャートである。なお、実際のレンジングでは、図４中のステップＳ１〜Ｓ７に示したように、ＭＳ２０の送信出力の他、信号タイミング、周波数のそれぞれについて調整が行われるが、図５では、理解を容易とするために、ＭＳ２０の送信出力調整のみに着目して説明する。
図５において、レンジングを行うことを決定したＭＳ２０は、レンジング要求メッセージを生成し、ＢＳ１０に送信する（ステップＳ１０１）。レンジング要求メッセージを受信したＭＳ２０の制御部１４は（ステップＳ１０２）、まず、検出部１４ａに、この受信したレンジング要求メッセージに基づく受信信号レベル値Ｐを検出させる（ステップＳ１０３）。
次に、制御部１４は、制御目標値調整部１４ｃに、ステップＳ１０２で受信したレンジング要求メッセージが、イニシャル・レンジングのためのメッセージであるか、他の（定期的レンジングもしくはハンドオーバ・レンジング）レンジングのためのメッセージであるかを、当該レンジング要求メッセージに含まれる情報に基づいて判断させる（ステップＳ１０４）。
なお、以下の説明においては、イニシャル・レンジングのためのレンジング要求メッセージを第一のレンジング要求メッセージ、定期的レンジングもしくはハンドオーバ・レンジングのためのレンジング要求メッセージを第二のレンジング要求メッセージと言う。
【００３４】
また、上記のように、ステップＳ１０３は、ＢＳ１０がＭＳ２０から送信されるレンジング要求メッセージを受信すると、この受信したレンジング要求メッセージに基づいて受信信号レベル値を検出する検出ステップを構成している。
【００３５】
以下、制御目標値調整部１４ｃが、ステップＳ１０４において、ステップＳ１０２で受信したレンジング要求メッセージが、イニシャル・レンジングのためのメッセージ、すなわち、第一のレンジング要求メッセージと、判断した場合について説明する。
【００３６】
〔イニシャル・レンジングにおける送信出力調整〕
制御目標値調整部１４ｃは、ステップＳ１０４において、ステップＳ１０２で受信したレンジング要求メッセージが、イニシャル・レンジングのためのメッセージと判断すると、制御目標値Ｐｓの算出の基礎となる、目標値Ｐｍを２０ｄＢｍＶ、マージン値Ｍを１０ｄＢｍＶに調整する（ステップＳ１０５）。この場合、Ａ／Ｄ変換器１３ｅの入力端のレベルにおける制御目標値Ｐｓは、３０ｄＢｍＶとなる。
また、制御部１４は、制御目標値調整部１４ｃの判断結果を示す情報としての判断フラグをメモリ等に記憶しており、制御目標値調整部１４ｃがイニシャル・レンジングのためのレンジング要求メッセージと判断した場合には、判断フラグに「０」を格納する。また、制御目標値調整部１４ｃが、その他のレンジングのためのメッセージと判断した場合には判断フラグに「１」を格納する。従って、このステップＳ１０５では、制御部１４は、前記判断フラグに「０」を格納する。
【００３７】
次に、制御部１４は、自身の内部に有しているカウンタのカウント値をリセットする（ステップＳ１０６）。このカウンタは、後述する送信出力の調整時における調整時間を把握するためのものである。
そして、次に制御部１４は、制御目標値調整部１４ｃに、上記ステップＳ１０５にて設定した各値に基づいて、アッテネータ１３ｃを調整させ、Ａ／Ｄ変換器１３ｅの入力端のレンジ調整を行う（ステップＳ１０７）。
【００３８】
次に制御部１４は、ステップＳ１０２にて検出された受信信号レベル値Ｐが、制御目標値Ｐｓ以上でかつ、この制御目標値Ｐｓに所定の閾値Ｌを加えた値以下であるか否かを判断する（ステップＳ１０８）。
なお、ステップＳ１０８において、制御目標値Ｐｓ及び閾値Ｌで定められる数値範囲は、現状のＭＳ２０の送信出力に基づく受信信号レベル値Ｐが、レンジングを完了しうる値であるか否かを判断するための判断基準であり、この閾値Ｌは、制御目標値Ｐｓに加えられたとしても、ＭＳ２０との通信の確立が可能な程度の数値範囲となるように設定される。つまり、レンジングを完了するためには、前記数値範囲に受信信号レベル値Ｐが位置していることが必要であり、制御目標値Ｐｓ以上であることを要する。
【００３９】
ステップＳ１０８において、受信信号レベル値Ｐが上記数値範囲内であると判断すると、制御部１４は、現状の送信出力を維持する旨の制御命令を格納した調整パラメータと、「ｓｕｃｃｅｓｓ」とした「ｓｔａｔｕｓ」とをレンジング応答メッセージに格納し、当該レンジング応答メッセージをＭＳ２０に送信する（ステップＳ１０９）。これを受信したＭＳ２０は（ステップＳ１１０）、レンジング（ＭＳ２０の送信出力調整）が完了したことを認識し、レンジング要求メッセージの送信を停止することでレンジングが完了する（ステップＳ１１１）。
【００４０】
一方、ステップＳ１０８にて、受信信号レベル値Ｐが上記数値範囲内でないと判断すると、制御部１４は、調整モードに移行する（ステップＳ１１２）。
図６は、調整モード（ステップＳ１１２）の処理手順を示したフローチャートである。この調整モードにおいては、制御部１４は、レンジング応答メッセージに格納する調整パラメータの制御命令を制御命令生成部１４ｂに生成させる。
まず、制御命令生成部１４ｂは、前記判断フラグが「０」であるか否かを判断する（ステップＳ２０１）。ここでは、上述のように前記判断フラグには「０」が格納されているので、制御命令生成部１４ｂは、ステップＳ２０２に進み、ステップＳ１０５で設定したマージン値Ｍから所定の値Ｍ１だけ差し引いた値を新たなマージン値Ｍに設定する（ステップＳ２０２）。
なお、前記判断フラグが「１」である場合については、後述する。
【００４１】
次に、制御命令生成部１４ｂは、所定のステップ値Ｓ１だけ、ＭＳ２０の送信出力を上げる旨の制御命令を生成し、調整パラメータに格納する（ステップＳ２０３）。
なお、このイニシャル・レンジングであると判断されている場合、ＭＳ２０の送信出力は、所定の初期値から序々に上昇する方向に調整され、ＢＳ１０の受信可能な出力に到達するように調整されるので、ステップＳ１０８にて、受信信号レベル値Ｐが数値範囲を外れるのは、制御目標値Ｐｓよりも低い場合に、ほぼ限られる。従って、イニシャル・レンジングであると判断されかつ送信出力の調整を要すると判断された場合には、制御命令生成部１４ｂは、ＭＳ２０の送信出力を上げるものと判断し、ＭＳ２０の送信出力を上げる旨の制御命令を生成する。
【００４２】
次に、制御部１４は、自身の内部に有しているカウンタを確認し、当該カウンタのカウント値が所定値以下であるか否かを判断する（ステップＳ２０４）。このカウンタが所定値以下であると判断する場合には、制御部１４は、ステップＳ２０５に進み、当該カウンタのカウント値をカウントアップする（ステップＳ２０５）。
次に、制御部１４は、上記手順により生成された制御命令を含む調整パラメータとともに、「ｃｏｎｔｉｎｕｅ」とした「ｓｔａｔｕｓ」をレンジング応答メッセージに格納し、当該レンジング応答メッセージをＭＳ２０に送信する（ステップＳ２０６）。
【００４３】
上記レンジング応答メッセージを受信したＭＳ２０は（ステップＳ２０７）、当該メッセージに格納されている調整パラメータ及び「ｓｔａｔｕｓ」を参照する。そして、ＭＳ２０の制御部２３は、「ｓｔａｔｕｓ」に「ｃｏｎｔｉｎｕｅ」が格納されているので、調整パラメータに含まれる、制御命令に基づいて、自身の送信出力を調整する（ステップＳ２０８）。
【００４４】
送信出力を調整したＭＳ２０の制御部２３は、再度レンジング要求メッセージを生成し、ＢＳ１０に対して送信する（ステップＳ２０９）。
レンジング要求メッセージを受信したＢＳ１０の制御部１４は、この受信したレンジング要求メッセージによる受信信号レベル値Ｐを、検出部１４ａに検出させる（ステップＳ２１０）。
【００４５】
ステップＳ２１０にて、上記受信信号レベル値Ｐの検出を行うと、制御部１４は、ステップＳ１０８（図５）に戻り、ステップＳ２１０にて検出した受信信号レベル値Ｐが、図中に示される、制御目標値Ｐｓ及び閾値Ｌで定められる数値範囲内であるか否かの判断を行う（ステップＳ１０８）。
このように、制御部１４は、ステップＳ１０８による判断において、その条件を満たすまで、ステップＳ１１２による調整モードを繰り返し行うこととなる。
【００４６】
ここで、上記調整モード（ステップＳ１１２）では、ステップＳ２０２において、マージン値Ｍから所定の値Ｍ１を差し引いた値を新たなマージン値Ｍとするので、制御目標値Ｐｓの値は、ステップＳ１１２の調整モードに進むごとに前記所定の値Ｍ１ずつ漸減する。一方、ＭＳ２０では、ステップＳ１１２の調整モードに進むごとに、所定のステップ値Ｓ１だけ、ＭＳ２０の送信出力を上げる内容の制御命令が格納されたレンジング応答メッセージを受信することで、その送信出力を上昇させるので、ＢＳ１０における受信信号レベル値Ｐもそれに応じて上昇する。
すなわち、制御部１４は、調整モードを繰り返すことで、受信信号レベル値Ｐを上昇させつつ制御目標値Ｐｓを下げていき、受信信号レベル値ＰがステップＳ１０８における条件を満たすように調整することができる。
このため、ＭＳ２０は、上記処理によって、送信出力の調整が行われると同時に、ＢＳ１０側でレンジングを完了し易い方向に調整されるので、イニシャル・レンジングにおいて、より速やかに送信出力の調整を完了させることができ、ＭＳ２０とＢＳ１０との間の通信が確立し易くなる。
【００４７】
なお、ここで、制御部１４は、調整モードのステップＳ２０４（図６）において、自身の内部に有しているカウンタを確認し、当該カウンタのカウント値が所定値以下であるか否かを判断するが、このカウンタが所定値以下ではないと判断した場合、制御部１４は、送信出力調整の処理を終了する（ステップＳ２１４）。この場合、ＢＳ１０では、ＭＳ２０に対して送信出力の調整を繰り返し試みているが、その調整がＭＳ２０側に反映されず、通信を確立できる状況にないと判断されるためであり、制御部１４は、ある一定の回数調整モードを繰り返すとＭＳ２０との通信の確立を諦め、当該処理を中止するように構成されている。なお、カウント値の判断基準となる所定値は、一般的に、ＭＳ２０に対して通信を確立できる状況にないと判断できる程度の値に設定される。
【００４８】
次に、ステップＳ１０８において、受信信号レベル値Ｐが上記数値範囲内であり、その条件を満たすと判断すると、制御部１４は、上述のステップＳ１０９〜Ｓ１１１に進み、ＭＳ２０は、レンジングが完了したことを認識し、レンジング要求メッセージの送信を停止して、レンジングを完了する。
次に、制御目標値調整部１４ｃが、ステップＳ１０２で受信したレンジング要求メッセージが、イニシャル・レンジング以外のその他のレンジングのためのメッセージ、すなわち、第二のレンジング要求メッセージと判断した場合について説明する。
【００４９】
〔その他のレンジングにおける送信出力調整〕
図５を参照して、制御目標値調整部１４ｃが、ステップＳ１０４において、ステップＳ１０２で受信したレンジング要求メッセージが、第二のレンジング要求メッセージであると判断すると、制御部１４は、判断フラグに「１」を格納する（ステップＳ１１３）。  次に、制御部１４は、制御目標値調整部１４ｃに、ＭＳ２０との通信を確立するのに最低限必要とされる目標値Ｐｍを設定させる（ステップＳ１１４）。
ステップＳ１１４では、制御目標値調整部１４ｃは、ＭＳ２０の変調方式に応じて、目標値Ｐｍを設定するように構成されている。ここで、本実施形態のシステムでは、ＭＳ２０の変調方式は、ＱＰＳＫ１／２、ＱＰＳＫ３／４、１６ＱＡＭ１／２、及び、１６ＱＡＭ３／４の内のいずれかに設定される。また、ＭＳ２０の変調方式は、ＢＳ１０の制御部１４が、ＭＳ２０との通信状況等を考慮することによって決定するように構成されている。
【００５０】
図７は、ステップＳ１１４における目標値Ｐｍを設定する手順を示したフローチャートである。制御目標値調整部１４ｃは、まず、ＭＳ２０の変調方式がＱＰＳＫ１／２であるか否かを判断する（ステップＳ３０１）。ＭＳ２０の変調方式がＱＰＳＫ１／２であると判断すると、制御目標値調整部１４ｃは、目標値Ｐｍを２０ｄＢｍＶに設定し（ステップＳ３０２）、図５中のステップＳ１１５に進む。この場合、アンテナ１１の入力端レベルでの目標値は、上述のように−９３ｄＢｍとなる。
【００５１】
ステップＳ３０１において、ＭＳ２０の変調方式がＱＰＳＫ１／２でないと判断すると、制御目標値調整部１４ｃは、次に、ＭＳ２０の変調方式がＱＰＳＫ３／４であるか否かを判断する（ステップＳ３０３）。ＭＳ２０の変調方式がＱＰＳＫ３／４であると判断すると、制御目標値調整部１４ｃは、目標値Ｐｍを２６ｄＢｍＶに設定し（ステップＳ３０４）、図５中のステップＳ１１５に進む。この場合、アンテナ１１の入力端レベルでの目標値は、−９０ｄＢｍとなる。
【００５２】
ステップＳ３０３において、ＭＳ２０の変調方式がＱＰＳＫ３／４でないと判断すると、制御目標値調整部１４ｃは、次に、ＭＳ２０の変調方式が１６ＱＡＭ１／２であるか否かを判断する（ステップＳ３０５）。ＭＳ２０の変調方式が１６ＱＡＭ１／２であると判断すると、制御目標値調整部１４ｃは、目標値Ｐｍを３１ｄＢｍＶに設定し（ステップＳ３０６）、図５中のステップＳ１１５に進む。この場合、アンテナ１１の入力端レベルでの目標値は、−８７．５ｄＢｍとなる。
ステップＳ３０５において、ＭＳ２０の変調方式が１６ＱＡＭ１／２でないと判断すると、ＭＳ２０の変調方式は１６ＱＡＭ３／４であり、制御目標値調整部１４ｃは、目標値Ｐｍを３８ｄＢｍＶに設定し（ステップＳ３０７）、図５中のステップＳ１１５に進む。この場合、アンテナ１１の入力端レベルでの目標値は、−８４ｄＢｍとなる。
以上のようにして、制御目標値調整部１４ｃは、図５中のステップＳ１１４において、ＭＳ２０の変調方式に応じて、目標値Ｐｍを調整設定することができる。この結果、ＭＳ２０の変調方式に応じた制御目標値Ｐｓを調整設定することができ、後述するＭＳ２０の送信出力を、変調方式に応じて適した値に設定することができる。
【００５３】
図５に戻って、次に制御目標値調整部１４ｃは、ステップＳ１１５において、マージン値Ｍの設定を行う。このマージン値Ｍは、瞬時レベル変動推定部１４ｄが、ＢＳ１０とＭＳ２０とが通信を確立している間に、上り通信フレームに格納されたパイロット信号の受信強度及びＣＮ比より求めた、瞬時レベル変動値の推定値Ｒに基づいて調整設定される。
本実施形態では、制御目標値調整部１４ｃは、この推定値Ｒをマージン値Ｍとして設定するように構成されている。なお、このマージン値Ｍを設定する場合、本実施形態のように推定値Ｒをそのまま設定してもよいが、他の要素を考慮した上で、推定値Ｒを補正して設定することもできる。
このように、ＢＳ１０とＭＳ２０とが通信を確立している間のパイロット信号の受信強度等に基づいて瞬時レベル変動値の推定値Ｒを求め、この推定値Ｒに基づいてマージン値Ｍを調整設定することで、現状のＢＳ１０とＭＳ２０との間の通信において、フェージング等により実際に生じている瞬時レベル変動を、制御目標値Ｐｓに反映することができる。よって、制御目標値調整部１４ｃは、マージン値Ｍを最小限必要な値に設定することができ、必要以上に送信出力をＭＳ２０に要求することがない。
以上のように、制御目標値調整部１４ｃが、目標値Ｐｍ及びマージン値Ｍを設定することで、制御目標値Ｐｓが決定する。
【００５４】
また、上記第二のレンジング要求メッセージと判断された場合の制御目標値Ｐｓは、制御目標値調整部１４ｃが調整設定した目標値Ｐｍ及びマージン値Ｍにより求められるが、イニシャル・レンジングと判断された場合の制御目標値Ｐｓでは、目標値Ｐｍが、２０ｄＢｍＶに設定されるとともに、マージン値Ｍが調整モードで処理されるごとに、所定の値Ｍ１ずつ漸減するように調整設定される。
すなわち、制御目標値調整部１４ｃは、第一のレンジング要求メッセージ（イニシャル・レンジングの場合）と判断されたときに調整される制御目標値Ｐｓ（第一の制御目標値）と、第二のレンジング要求メッセージと判断されたときに調整される制御目標値Ｐｓ（第二の制御目標値）とで、これら制御目標値Ｐｓを異なる値に調整設定することができる。そして、制御目標値調整部１４ｃは、第一のレンジング要求メッセージと判断されたときの制御目標値Ｐｓが、第二のレンジング要求メッセージと判断されたときよりも小さい値となるように調整設定する。
従ってこの場合、イニシャル・レンジングにおいては、その他のレンジングのときと比較して、ＭＳ２０の送信出力を低くすることができる。従って、ＭＳ２０に要求する送信出力も比較的低い値に設定されるので、ＭＳ２０の電力消費を抑えることができるとともに、より速やかに送信出力の調整を完了させることができる。
【００５５】
このように本実施形態のシステムでは、制御目標値調整部１４ｃは、現状のレンジングがイニシャルであるかその他のものであるかといったＭＳ２０の状態、又は、ＭＳ２０の変調方式あるいは瞬時レベル変動値等の要因といったＭＳ２０との間の通信状態に基づいて、制御目標値Ｐｓを調整するよう構成されている。
【００５６】
また、イニシャル・レンジングにおけるステップＳ１０５、及びその他のレンジングにおけるステップＳ１１４，Ｓ１１５は、上述したように、受信信号レベル値Ｐの制御目標値Ｐｓを調整する制御目標値調整ステップを構成している。
【００５７】
次に、制御部１４は、制御目標値調整部１４ｃに、上記ステップＳ１１４，Ｓ１１５にて設定した制御目標値Ｐｓに基づいて、アッテネータ１３ｃを調整させ、Ａ／Ｄ変換器１３ｅの入力端のレンジ調整を行う（ステップＳ１０７）。
そして、制御部１４は、ステップＳ１０２にて検出された受信信号レベル値Ｐが、制御目標値Ｐｓ以上でかつ、この制御目標値Ｐｓに所定の閾値Ｌを加えた値以下であるか否かを判断する（ステップＳ１０８）。
【００５８】
ステップＳ１０８において、制御部１４が、上記条件を満たすと判定すると、上述のステップＳ１０９〜Ｓ１１１に進み、ＭＳ２０は、レンジングが完了したことを認識し、レンジング要求メッセージの送信を停止して、レンジングを完了する。
ステップＳ１０８にて、上記条件を満たさないと判定すると、レンジング部１６は、ＭＳ２０に信号送信条件の調整モードに移行する（ステップＳ１１２）。
【００５９】
図６を参照して、制御命令生成部１４ｂは、前記判断フラグが「０」であるか否かを判断する（ステップＳ２０１）。ここでは、上述のように前記判断フラグには「１」が格納されているので、制御命令生成部１４ｂは、ステップＳ２１１に進み、受信信号レベル値Ｐが、制御目標値Ｐｓよりも小さいか否かを判断する（ステップＳ２１１）。
受信信号レベル値Ｐが、制御目標値Ｐｓよりも小さいと判断すると、制御命令生成部１４ｂは、所定のステップ値Ｓ２だけ、ＭＳ２０の送信出力を上げる旨の制御命令を生成し、調整パラメータに格納し（ステップＳ２１２）、ステップＳ２０６に進む。
一方、受信信号レベル値Ｐが、制御目標値Ｐｓよりも小さくないと判断すると、受信信号レベル値Ｐは、制御目標値Ｐｓ（制御目標値Ｐｓに閾値Ｌを加えた値）よりも大きいので、制御命令生成部１４ｂは、所定のステップ値Ｓ２だけ、ＭＳ２０の送信出力を下げる旨の制御命令を生成し、調整パラメータに格納し（ステップＳ２１３）、ステップＳ２０６に進む。
【００６０】
また、調整モードに進むか否かを受信信号レベル値Ｐ、及び制御目標値Ｐｓに基づいて判断するステップＳ１０８（図５）、上記ステップＳ２１１〜Ｓ２１３、及び、イニシャル・レンジングにおけるステップＳ２０３は、検出部１４ａによって検出した受信信号レベル値Ｐと制御目標値Ｐｓとに基づいて、ＭＳ２０の送信出力を調整させるための制御命令を生成する制御命令生成ステップを構成している。
【００６１】
次に、上述したイニシャル・レンジングにおける送信出力調整の場合と同様に、ＢＳ１０とＭＳ２０との間で、レンジング応答メッセージ、及びレンジング要求メッセージの送受信を繰り返し、制御部１４は、ステップＳ１０８による判断において、その条件を満たすまで、ステップＳ１１２による調整モードを繰り返し行うこととなる。
この間、制御部１４は、制御目標値調整部１４ｃによって調整設定された制御目標値Ｐｓを基準として生成される制御命令をＭＳ２０に送信することができ、ＭＳ２０の送信出力を現状に応じて好適に調整することができる。
そして、受信信号レベル値Ｐが、ステップＳ１０８における条件を満たすと、上述と同様、レンジングを完了する。
【００６２】
上記のように構成されたＢＷＡシステムのＢＳ１０によれば、制御目標値調整部１４ｃによって、受信信号レベル値Ｐの制御目標値Ｐｓを調整することで、この制御目標値Ｐｓを基にして生成される制御命令を介して、ＭＳ２０の送信出力の調整を行うことができる。従って、ＢＳ１０は、ＭＳ２０の送信出力を状況に応じて調整することができる。
さらに、本実施形態のシステムでは、制御目標値調整部１４ｃは、現状行おうとしているレンジングがイニシャルであるかその他のものであるかといったＭＳ２０の状態、又は、ＭＳ２０の変調方式あるいは瞬時レベル変動値等の要因といったＭＳ２０との間の通信状態に基づいて、制御目標値Ｐｓを調整するよう構成されており、上述のように、ＭＳ２０の状態に応じた制御命令をＭＳ２０に送信することができ、ＭＳ２０の送信出力をその状況に応じて好適に調整することができる。
【００６３】
また、本実施形態のシステムでは、上記のように、ＭＳ２０の送信出力をその状況に応じて好適に調整することができるので、必要以上の送信出力をＭＳ２０に要求するのを抑制することができ、ＭＳ２０が無駄に電力を消費したり、通信の確立が可能なエリアを狭めることを抑制することができる。
【００６４】
本発明は、上記実施形態に限定されることはない。例えば、上記実施形態において、制御目標値Ｐｓを調整する際の基準となる要因として、ＭＳ２０の状態としては、現状行おうとしているレンジングがイニシャルであるかその他のものであるかを判断し、通信状態としては、ＭＳ２０の変調方式あるいは瞬時レベル変動値等の要因を考慮したが、これらに限定されるものではなく、その他の要因を考慮して、制御目標値Ｐｓを調整するように構成してもよい。
また、瞬時レベル変動推定部１４ｄは、パイロット信号の受信強度及びＣＮ比の双方を観測することによって、瞬時レベル変動値の推定値Ｒを求めたが、例えば、いずれか一方のみに基づいて瞬時レベル変動値の推定値を求めてもよい。
また、上記実施形態において、イニシャル・レンジング以外のレンジングの場合、マージン値Ｍは、瞬時レベル変動値推定部１４ｄによる推定値Ｒに基づいて調整設定したが、例えば、基地局装置の設置場所（例えば、都心部や、郊外等）によっては、フェージングやマルチパス等による瞬時レベル変動値が安定的に推定できる場合があり、このような場合には、マージン値Ｍをその設置場所によって推定できる数値に固定することもできる。
【図面の簡単な説明】
【００６５】
【図１】広帯域移動無線通信システム（ＢＷＡシステム）の全体構成を示す図である。
【図２】ＢＳ、及びＭＳの構成を示したブロック図である。
【図３】パイロット信号の受信強度から瞬時レベル変動値の推定値を求める際の態様を示す図である。
【図４】ＭＳの送信出力調整が行われるレンジングの概略を示した図である。
【図５】図４にて示したレンジングの内、ＭＳ２０の送信出力調整の、より具体的な処理手順を示したフローチャートである。
【図６】調整モード（ステップＳ１１２）の処理手順を示したフローチャートである。
【図７】ステップＳ１１４における目標値Ｐｍを設定する手順を示したフローチャートである。
【符号の説明】
【００６６】
１０    ＢＳ（基地局）    １１    アンテナ              １２    送信部
１３    受信部            １３ａ  バンドパスフィルタ    １３ｂ  アンプ
１３ｃ  アッテネータ      １３ｄ  直交復調器            １３ｅ  Ａ／Ｄ変換器
１４    制御部            １４ａ  検出部                １４ｂ  制御命令生成部
１４ｃ  制御目標値調整部  １４ｄ  瞬時レベル変動値推定部
１５    インターフェース部  １６    通信部
２０    ＭＳ（移動端末）  ２１    アンテナ              ２２    通信部
２３    制御部            ２４    入力部                ２５    出力部
【図１】
2009071585.tif 000003
【図２】
2009071585.tif 000004
【図３】
2009071585.tif 000005
【図４】
2009071585.tif 000006
【図５】
2009071585.tif 000007
【図６】
2009071585.tif 000008
【図７】
2009071585.tif 000009